【手続補正書】
【提出日】平成28年7月22日(2016.7.22)
【手続補正１】
【補正対象書類名】特許請求の範囲
【補正対象項目名】全文
【補正方法】変更
【補正の内容】
【特許請求の範囲】
【請求項１】
照明システムを制御する方法であって、前記照明システムは複数の照明器具と、前記複数の照明器具に結合されるネットワークルータと、制御ネットワークを介して前記ネットワークルータに結合される制御デバイスとを含み、前記方法は、
前記制御デバイスによって、タイミング情報及びコマンド情報を含む制御メッセージを供給するステップと、
前記ネットワークルータによって、前記制御ネットワークを介して前記制御メッセージを受信するステップと、
前記ネットワークルータによって、前記コマンド情報に基づいてコマンドを生成するステップと、
前記ネットワークルータによって、前記タイミング情報に基づいて、前記制御メッセージにおいて識別される前記複数の照明器具のうちの少なくとも１つに前記コマンドを送る第１の時点を決定するステップと、
前記ネットワークルータによって、前記決定された第１の時点にて、前記制御メッセージにおいて識別される前記複数の照明器具のうちの前記少なくとも１つに前記コマンドを送るステップと
を含む、方法。
【請求項２】
前記タイミング情報は、
先に確立されたタイマーを参照せず、前記ネットワークルータ及び／若しくは前記制御デバイス内で動作する内部クロックを参照する絶対的時間、並びに／又は
前記ネットワークルータ及び／若しくは前記制御デバイス内で動作する先に確立された一時的タイマーを参照し、及び／若しくは、前記制御デバイスと前記ネットワークルータとの間の先の通信を介して確立されたタイミング情報を参照する相対的時間を表す、請求項１に記載の方法。
【請求項３】
前記制御デバイスによって、第２のタイミング情報及び第２のコマンド情報を含む第２の制御メッセージを供給するステップと、
前記ネットワークルータによって、前記制御ネットワークを介して前記第２の制御メッセージを受信するステップと
を更に含み、前記決定された第１の時点がまだ起こっていない場合、
前記ネットワークルータによって、前記第２の制御メッセージより先に受信された前記制御メッセージ内に含まれる前記コマンド情報を破棄するステップを含む、請求項１又は２に記載の方法。
【請求項４】
前記照明システムは、前記制御ネットワークを介して前記ネットワークルータに結合される更なる制御デバイスを含み、前記方法は更に、
前記ネットワークルータによって、前記ネットワークルータを介して同じ時点にて同じ照明器具を制御しようとする前記制御デバイスのうちの１つだけが当該照明器具を制御することを保証するよう、優先度管理プロセスを実施するステップを含む、請求項１乃至３のいずれか一項に記載の方法。
【請求項５】
前記優先度管理プロセスを実施する前記ステップは、
前記制御デバイスによって、前記ネットワークルータに優先度リクエストメッセージを送るステップと、
前記ネットワークルータによって、前記制御ネットワークを介して前記優先度リクエストメッセージを受信するステップと、
前記ネットワークルータによって、前記制御デバイスのために優先度レベルを割り当てるステップであって、前記優先度レベルは、前記複数の照明器具のうちの１つ又は複数に関連付けられる、ステップと、
前記制御デバイスによって、前記割り当てられた優先度レベルを受信するステップと
を含む、請求項４に記載の方法。
【請求項６】
前記ネットワークルータによって、前記受信された制御メッセージを所定の時間バッファするステップと、
前記ネットワークルータによって、前記所定の時間内の追加の制御メッセージの受信を確認するステップと、
追加の制御メッセージが到着しない場合又は前記追加の制御メッセージが前記先の制御メッセージに関連しないと決定される場合、前記制御メッセージを処理するステップと、
前記追加の制御メッセージが前記先の制御メッセージに関連し、前記追加の制御メッセージが前記先の制御メッセージの前に処理されるべきことが示される場合、前記追加の制御メッセージを処理するステップと
を更に含む、請求項１乃至５のいずれか一項に記載の方法。
【請求項７】
前記制御デバイスによって、適合されたコマンド情報及び／又は適合されたタイミング情報を含む、同じ照明器具にアドレス指定される同じ又は変更された制御メッセージを供給するステップを更に含む、請求項１乃至６のいずれか一項に記載の方法。
【請求項８】
前記制御ネットワークは少なくとも部分的にインターネットプロトコルベース制御ネットワークであり、インターネット、イントラネット、モバイル通信ネットワーク、無線制御ネットワーク、及び／又はこれらの組み合わせのうちの少なくとも１つを含み、
前記制御デバイスは、パソコン、モバイル端末、ハンドヘルドデバイス等の前記制御ネットワークのサブスクライバー端末であり、前記制御デバイスは前記制御ネットワークの上流に動作的に接続され、前記制御ネットワークは前記ネットワークルータの上流に動作的に接続され、前記ネットワークルータは前記複数の照明器具の上流に動作的に接続される、請求項１乃至７のいずれか一項に記載の方法。
【請求項９】
前記ネットワークルータはパケットベースネットワーキングシステムを介して前記複数の照明器具に結合され、
前記ネットワークルータは、１つ以上の受信された制御メッセージ内に含まれる前記コマンド情報を使用して、前記複数の照明器具のうちの少なくとも２つの照明器具のための１つ以上のコマンドを含む単一のパケットを生成し、前記パケットベースネットワーキングシステム上で送る、請求項１乃至８のいずれか一項に記載の方法。
【請求項１０】
前記ネットワークルータはパケットベースネットワーキングシステムを介して前記複数の照明器具に結合され、
前記ネットワークルータは前記パケットベースネットワーキングシステムのブロードキャスト機能又はマルチキャスト機能を使用して、前記コマンドを単一のブロードキャストコマンドとして又は単一のマルチキャストコマンドとして、前記複数の照明器具のうちの少なくとも２つの照明器具に送る、請求項１乃至９のいずれか一項に記載の方法。
【請求項１１】
前記制御メッセージは、ＨＴＴＰリクエスト、ＨＴＴＰＳリクエスト、ＣｏＡＰリクエスト、ＣｏＡＰＳリクエスト、ＤＴＬＳプロトコルリクエスト、ＵＰｎＰリクエスト、ＷｅｂＡＰＩプロトコルリクエスト等のＷｅｂサービスリクエスト、ＳＯＡＰリクエスト、ＵＤＰデータグラム、ＴＣＰセグメント、及び／又はこれらの組み合わせのうちの少なくとも１つを含む、請求項１乃至１０のいずれか一項に記載の方法。
【請求項１２】
照明システムを制御するためのコンピュータプログラムであって、前記照明システムは複数の照明器具と、前記複数の照明器具に結合されるネットワークルータと、制御ネットワークを介して前記ネットワークルータに結合される制御デバイスとを含み、前記コンピュータプログラムは、前記コンピュータプログラムが前記ネットワークルータ及び／又は前記制御デバイス上で実行されるとき、前記ネットワークルータ及び／又は前記制御デバイスにそれぞれ、請求項１乃至１１の１つ以上に記載される方法のステップを実行させるためのプログラムコード手段を含む、コンピュータプログラム。
【請求項１３】
複数の照明器具を制御するための照明制御システムであって、前記照明システムは前記複数の照明器具に結合されるネットワークルータと、制御ネットワークを介して前記ネットワークルータに結合される制御デバイスとを含み、
前記制御デバイスは、タイミング情報及びコマンド情報を含む制御メッセージを供給し、
前記ネットワークルータは、
前記制御ネットワークを介して前記制御メッセージを受信し、
前記コマンド情報に基づいてコマンドを生成し、
前記タイミング情報に基づいて、前記制御メッセージにおいて識別される前記複数の照明器具のうちの少なくとも１つに前記コマンドを送る第１の時点を決定し、
前記決定された第１の時点にて、前記制御メッセージにおいて識別される前記複数の照明器具のうちの前記少なくとも１つに前記コマンドを送る、照明制御システム。
【請求項１４】
複数の照明器具を制御するための制御デバイスであって、前記複数の照明器具はネットワークルータを介して制御ネットワークに結合され、前記制御デバイスは前記制御ネットワークを介して前記ネットワークルータに結合され、前記制御デバイスは、
タイミング情報及びコマンド情報を含む制御メッセージを供給し、
前記制御メッセージは前記ネットワークルータによって受信され、前記ネットワークルータは、前記コマンド情報に基づいてコマンドを生成し、前記タイミング情報に基づいて、前記制御メッセージにおいて識別される前記複数の照明器具のうちの少なくとも１つに前記コマンドを送る第１の時点を決定し、前記決定された第１の時点にて、前記制御メッセージにおいて識別される前記複数の照明器具のうちの前記少なくとも１つに前記コマンドを送り得る、制御デバイス。
【請求項１５】
複数の照明器具を制御するためのネットワークルータであって、前記複数の照明器具は前記ネットワークルータを介して制御ネットワークに結合され、制御デバイスが前記制御ネットワークを介して前記ネットワークルータに結合され、前記ネットワークルータは、
前記制御デバイスによって供給され、タイミング情報及びコマンド情報を含む制御メッセージを前記制御ネットワークを介して受信し、
前記コマンド情報に基づいてコマンドを生成し、
前記タイミング情報に基づいて、前記制御メッセージにおいて識別される前記複数の照明器具のうちの少なくとも１つに前記コマンドを送る第１の時点を決定し、
前記決定された第１の時点にて、前記制御メッセージにおいて識別される前記複数の照明器具のうちの前記少なくとも１つに前記コマンドを送る、ネットワークルータ。